(57)【特許請求の範囲】
【請求項１】
外部通信回線に接続されこの外部通信回線を介して音声データや非音声データを送受信する親機と、この親機との間で無線通信にて音声データや非音声データを送受信する少なくとも１つの子機とを備えた無線通信システムにおいて、
前記親機は、外部通信回線に対する回線制御を行う回線制御部と、
子機との間で送受信を行う送受信部と、
各子機に対する最新の過去複数回の無線通信における送信パワーレベルを更新しつつ記憶するパワーレベル記憶部と、
子機との間の無線通信に際してパワーレベル記憶部に記憶した送信パワーレベルを用いて送信パワーレベルを設定するパワーレベル設定手段とを備え、
前記親機のパワーレベル設定手段は、予め設定された所定パターンの試験データを記憶する試験データ記憶部と、子機から試験データ受信時のエラー発生率を示すエラーデータを受信して送信パワーレベルの良否を判定する判定手段と、送受信部に対して送信開始時には記憶している最新の送信パワーレベルにて試験データを送信出力させ且つ送信パワーレベルが良になるまで順々に古い送信パワーレベルに変更して試験データを送信出力させるパワーレベル選択制御手段とを備えた、
ことを特徴とする無線通信システム。
【請求項２】
前記子機は、親機との間で送受信を行う送受信部と、親機に対する最新の過去複数回の無線通信における送信パワーレベルを更新しつつ記憶するパワーレベル記憶部と、親機との間の無線通信に際してパワーレベル記憶部に記憶した送信パワーレベルを用いて送信パワーレベルを設定するパワーレベル設定手段とを備え、前記子機のパワーレベル設定手段は、予め設定された所定パターンの試験データを記憶する試験データ記憶部と、親機から試験データ受信時のエラー発生率を示すエラーデータを受信して送信パワーレベルの良否を判定する判定手段と、送受信部に対して送信開始時には記憶している最新の送信パワーレベルにて試験データを送信出力させ且つ送信パワーレベルが良になるまで順々に古い送信パワーレベルに変更して試験データを送信出力させるパワーレベル選択制御手段とを備えたことを特徴とする請求項１に記載の無線通信システム。
【請求項３】
前記子機は、親機から試験データを受信した際にはエラー発生率を演算しそのエラー発生率を示すエラーデータを親機に対して送信出力するように送受信部に指令する試験応答手段を備えたことを特徴とする請求項２に記載の無線通信システム。
【請求項４】
前記親機は、子機から試験データを受信した際にはエラー発生率を演算しそのエラー発生率を示すエラーデータを子機に対して送信出力するように送受信部に指令する試験応答手段を備えたことを特徴とする請求項１に記載の無線通信システム。
【発明の詳細な説明】
【０００１】
【発明の属する技術分野】
本発明は、親機と少なくとも１つの子機とを備えた無線通信システムに関し、特に親機と子機との間で通信するときの最良の送信パワーレベルを、親子間で通信する毎に設定するようにしたものに関する。
【０００２】
【従来の技術】
従来、建物の内部において、外部回線に接続された親機と、複数台のコードレス電話機である電話子機とを設置し、親機と各電話子機との間でデジタル信号を用いて無線通信（無線通話）できるようにしたコードレス電話システムが実用に供されている。
最近、このコードレス電話システムにおいては、親機と電話子機との間で親子通信を行うときの通信距離を、例えば１００〜１５０メートルのように長くできるように、親機や電話子機の送信部においては、例えば100mw もの大きな送信パワーが得られる高周波増幅器が設けられる一方、その送信パワーを通信距離に応じて変更可能になっている。
【０００３】
即ち、電話子機が親機に対して至近距離の位置に設置されている場合に、相互に通信する親機と電話子機の送信パワーが夫々略最大に設定され、例えば、親機から送信した音声データを電話子機で受信する場合に、電話子機で受信する親機から送信された送信波の電界強度が強すぎて、受信信号に歪みが発生している場合には、受信側でその歪んだ受信信号を復調した結果、歪んだ音声信号を再生することから、送信されてきた音声を電話子機側で明瞭に聞き取ることができないことになる。従って、通信の開始に際して、相互に通信する親機と電話子機の各々においては、送信パワーを良好に設定する送信パワー設定を実行するようになっている。
【０００４】
その送信パワー設定をする場合には、親機と電話子機が親機に対して遠距離の位置に設置されている場合でも、通信先の相手方を相互に確実に呼び出せるように、通信開始時の親機と電話子機の送信パワーとして夫々略最大に設定され、その最大送信パワーで以て試験データを相手側に送信する。そして、相手側からその試験データ受信時のエラー発生率のデータを受信し、そのエラー発生率が高い場合には、送信パワーを低下させて試験データを再度送信することを繰り返して、最終的には、音声信号に歪みが発生することなく通話が可能な最適な送信パワーを設定することで、親機と電話子機との通信距離の遠近に拘わらず、親子間で常に良好に且つ明瞭に無線通話できるようになっている。
【０００５】
【発明が解決しようとする課題】
前述したように、親機と複数の電話子機との間で無線通信できるようにしたコードレス電話システムにおいては、親子間通信を行う毎に、その親子間通信に際して、送信パワーを略最大から徐々に低下させながら試験データを繰り返して送信するようにし、最終的に音声信号に歪みが発生しない送信パワーを設定する送信パワー設定を実行するので、実際の通話を開始できるのは、その送信パワー設定が終了してからとなり、無線通信する相手側を呼出してから通話が可能になるまでに時間を要するという問題がある。
本発明の目的は、親機と子機との間での通信を、相手側を呼出してから迅速に且つ歪みのない最適な送信パワーで行えるような無線通信システムを提供することである。
【０００６】
【課題を解決するための手段】
請求項１の無線通信システムは、外部通信回線に接続されこの外部通信回線を介して音声データや非音声データを送受信する親機と、この親機との間で無線通信にて音声データや非音声データを送受信する少なくとも１つの子機とを備えた無線通信システムにおいて、親機は、外部通信回線に対する回線制御を行う回線制御部と、子機との間で送受信を行う送受信部と、各子機に対する最新の過去複数回の無線通信における送信パワーレベルを更新しつつ記憶するパワーレベル記憶部と、子機との間の無線通信に際してパワーレベル記憶部に記憶した送信パワーレベルを用いて送信パワーレベルを設定するパワーレベル設定手段とを備え、前記親機のパワーレベル設定手段は、予め設定された所定パターンの試験データを記憶する試験データ記憶部と、子機から試験データ受信時のエラー発生率を示すエラーデータを受信して送信パワーレベルの良否を判定する判定手段と、送受信部に対して送信開始時には記憶している最新の送信パワーレベルにて試験データを送信出力させ且つ送信パワーレベルが良になるまで順々に古い送信パワーレベルに変更して試験データを送信出力させるパワーレベル選択制御手段とを備えたものである。
【０００７】
親機においては、回線制御部により外部通信回線に対する回線制御が行われる。また、送受信部により子機との間で送受信を行う場合に、パワーレベル記憶部には、各子機に対する最新の過去複数回の無線通信における送信パワーレベルが更新しつつ記憶されているので、パワーレベル設定手段は、パワーレベル記憶部に記憶した最新の過去複数回の送信パワーレベルのうち、例えば最新の送信パワーレベルを用いて送信パワーレベルを設定するので、送受信部により、その送信パワーレベルで以て子機との間で送受信が実行される。そして、その通信に用いた最新の送信パワーレベルがパワーレベル記憶部に更新して記憶される。
【０００８】
即ち、親機と子機とからなる無線通信システムを建物の内部に設ける場合、一般的に、複数の子機の各々は親機と通話するのに便利な要所に概ね固定的に設置される一方、親機は各子機と通信可能な位置に固定的に設置されるので、親機と子機との通信距離が略一定化していることから、親機から子機に送信するときに、最新の過去複数回における送信パワーレベルを用いることで、親機側の子機に対する最良の送信パワーレベルを早期に設定でき、早い時期に通信を開始できる。
また、パワーレベル設定手段においては、試験データ記憶部に所定パターンの試験データを記憶しているので、パワーレベル選択制御手段は、送受信部に対して送信開始時には記憶している最新の送信パワーレベルにて試験データを送信出力させることで、送受信部により子機から試験データ受信時のエラー発生率を示すエラーデータが受信されるので、判定手段によりそのエラーデータに基づいて送信パワーレベルの良否が判定される。そして、パワーレベル選択制御手段は、判定手段で送信パワーレベルが否であると判定されたときには、良と判定されるまで、順々に古い送信パワーレベルに変更して試験データを送信出力され、最終的に、子機との通信に最良の送信パワーレベルが設定される。
【０００９】
請求項２の無線通信システムは、請求項１の発明において、前記子機は、親機との間で送受信を行う送受信部と、親機に対する最新の過去複数回の無線通信における送信パワーレベルを更新しつつ記憶するパワーレベル記憶部と、親機との間の無線通信に際してパワーレベル記憶部に記憶した送信パワーレベルを用いて送信パワーレベルを設定するパワーレベル設定手段とを備え、前記子機のパワーレベル設定手段は、予め設定された所定パターンの試験データを記憶する試験データ記憶部と、親機から試験データ受信時のエラー発生率を示すエラーデータを受信して送信パワーレベルの良否を判定する判定手段と、送受信部に対して送信開始時には記憶している最新の送信パワーレベルにて試験データを送信出力させ且つ送信パワーレベルが良になるまで順々に古い送信パワーレベルに変更して試験データを送信出力させるパワーレベル選択制御手段とを備えたものである。
この場合、子機にも親機と同様に、送受信部と、パワーレベル記憶部と、パワーレベル設定手段とを備えているので、送受信部により親機との間で送受信を行う場合に、子機から親機に送信するときに、最新の過去複数回における送信パワーレベルを用いることで、子機側の親機に対する最良の送信パワーレベルを早期に設定でき、早い時期に通信を開始できる。
即ち、子機のパワーレベル設定手段にも親機と同様に、試験データ記憶部と、判定手段と、パワーレベル選択制御手段とを備えているので、送信パワーレベルが良と判定されるまで、順々に古い送信パワーレベルに変更して試験データが送信出力され、最終的に、親機との通信に最良の送信パワーレベルが設定される。その他、請求項１と同様の作用を奏する。
【００１０】
【００１１】
【００１２】
【００１３】
【００１４】
請求項３の無線通信システムは、請求項２の発明において、前記子機は、親機から試験データを受信した際にはエラー発生率を演算しそのエラー発生率を示すエラーデータを親機に対して送信出力するように送受信部に指令する試験応答手段を備えたものである。
この場合、子機に設けられた試験応答手段は、親機から試験データを受信した際には、エラー発生率を演算し、そのエラー発生率を示すエラーデータを親機に対して送信出力するように送受信部に指令するので、親機においては、子機からのエラーデータを確実に且つ迅速に受信することができる。その他、請求項２と同様の作用を奏する。
【００１５】
請求項４の無線通信システムは、請求項１の発明において、前記親機は、子機から試験データを受信した際にはエラー発生率を演算しそのエラー発生率を示すエラーデータを子機に対して送信出力するように送受信部に指令する試験応答手段を備えたものである。
この場合には、親機は子機と同様に、試験応答手段を備えているので、子機においては、親機からのエラーデータを確実に且つ迅速に受信することができる。その他、請求項１と同様の作用を奏する。
【００１６】
【発明の実施の形態】
以下、本発明の実施の形態について図面に基いて説明する。
本実施形態は、建物の内部に設けられた無線通信システムに本発明を適用した場合のものである。
前記無線通信システム１は、図１に示すように、一般の商用アナログ電話回線２やデジタル伝送網３に接続された親機としてのファクシミリ装置４と、コードレス電話機からなる３台の電話子機６〜８とから構成されている。ここで、ファクシミリ装置４に対して、電話子機６は至近距離の位置に設置され、電話子機７は電話子機６よりも遠距離の位置に設置され、また電話子機８は電話子機７よりも更に遠距離の位置に設置されている。
【００１７】
先ず、ファクシミリ装置４について説明する。
図２に示すように、ファクシミリ装置４は、一般の商用アナログ電話回線２やデジタル伝送網３などの外部通信回線に接続され、スキャナ機能、ファクシミリ機能、プリント機能に加えて親子電話機能を有する複合機であり、アンテナ４２を有する送受信部４１と、外部通信回線２，３との接続制御を行う回線制御部４３と、アナログ信号とデジタル信号との相互変換を行う変換部４４と、その変換部４４に接続されたハンドセット（受話器）４５と、データ処理部４６と、マイクロコンピュータからなる制御部４７などから構成されている。
【００１８】
更に、その制御部４７には、レーザプリンタを備えた記録部４８と、原稿の画像を読取るスキャナを備えた読取り部４９と、パワーレベル記憶部５０と、電話子機６〜８のＩＤコード（認識コード）を記憶するＩＤコード記憶部５１と、試験データ記憶部５２と、表示部５３及び操作部５４などが接続されている。
前記送受信部４１は、図示していない変調器や復調器、周波数変換器、増幅器、送受信切換えスイッチ、ＰＬＬ（Phase locked loop)局部発振器などを備えている。
【００１９】
即ち、変調器において、搬送波はデジタルの音声データや非音声データにより、例えばＦＳＫ（Frequency Shift Keying) 方式で周波数変調され、中間周波数信号を出力する。この中間周波数は、周波数変換器において、ＰＬＬ局部発振器から供給される局部発振周波数に基づいて、所定の周波数の高周波信号に変換される。このとき、ＰＬＬ局部発振器で発振される局部発振周波数は、制御部４７で制御される。また、周波数変換器において変換された高周波信号は増幅器で増幅された後、送受信切換えスイッチを介してアンテナ４２に送信される。
【００２０】
ここで、増幅器による増幅率、つまり送信パワーの大きさは、制御部４７から指令される送信パワーレベルに基づいて制御される。
一方、アンテナ４２で受信された高周波信号は、送受信切換えスイッチを介して増幅器で増幅された後、周波数変換器において、ＰＬＬ局部発振器から出力される局部発振周波数に基づいて、高周波信号が中間周波数信号に変換され、復調器で復調される。
データ処理部４６は、音声データや非音声データについて、送信に際して圧縮処理を行う一方、受信に際して伸長処理を行うなど、種々のデータ処理を行うようになっている。
【００２１】
変換部４４は、Ｄ／Ａ変換器やＡ／Ｄ変換器を有し、回線制御部４３から供給されるアナログ信号をデジタル信号に変換して送受信部４１やハンドセット４５に出力する一方、これら送受信部４１やハンドセット４５から供給されるデジタル信号をアナログ信号に変換して回線制御部４３に出力する。
パワーレベル記憶部５０には、図４（ａ）に示すように、電話子機６〜８の各々について、送信パワーレベルとして、第１〜第３候補の送信パワーレベルPA1 〜PA3 に対応づけて、送信出力が大きい「Ｈ」と、送信出力が中ぐらいの「Ｍ」と、送信出力が小さい「Ｌ」とを記憶するパワーレベルテーブルが格納されている。
【００２２】
ＩＤコード記憶部５１には、通信を開始した電話子機６〜８のＩＤコード（認識コード）が記憶される。
試験データ記憶部５２には、通信状態の良否を検出できるように、複数の「１」と「０」とを組み合わせた、例えば１２５ビットからなる所定パターンの試験データが記憶されている。
次に、電話子機６〜８について説明するが、これら電話子機６〜８は同様に構成されているので、電話子機６について、図３に基づいて説明する。
【００２３】
電話子機６は、アンテナ６２を有する送受信部６１と、アナログ信号とデジタル信号との相互変換を行う変換部６３と、その変換部６３に接続されたマイク６４及びスピーカ６５と、データ処理部６６と、マイクロコンピュータからなる制御部６７などから構成されている。
更に、その制御部６７には、パワーレベル記憶部６８と、電話子機６に専用のＩＤコードを記憶しておくＩＤコード記憶部６９と、試験データ記憶部７０と、表示部７１及び操作部７２などが接続されている。ここで、各部６１〜７２における作動は、ファクシミリ装置４に設けられた各部４１〜４２，４４，４６〜４７，５０〜５４と同様なので、その説明を省略する。
【００２４】
ここで、パワーレベル記憶部６８には、図５（ａ）に示すように、ファクシミリ装置４との間で通信するときの送信パワーレベルとして、第１〜第３候補の送信パワーレベルPB1 〜PB3 に対応づけて、送信出力が大きい「Ｈ」と、送信出力が中ぐらいの「Ｍ」と、送信出力が小さい「Ｌ」とを記憶するパワーレベルテーブルが記憶されている。ここで、第１候補の送信パワーレベルPB1 は最新の送信パワーレベルであり、第２候補のパワーレベルPB2 と第３候補の送信パワーレベルPB3 とは、第１候補のパワーレベルPB1 よりも順々に古い送信パワーレベルである。
【００２５】
ファクシミリ装置４と電話子機６〜８は、以上のように構成されているので、例えば、ファクシミリ装置４と電話子機６との間で無線通信が行われるときには、ファクシミリ装置４においては、ハンドセット４５のマイク４５ａから発生する音声信号や試験データ記憶部５２の試験データが、データ処理部４６で圧縮処理された後、送受信部４１により周波数変調され、設定された送信パワーレベルの送信パワーで以てアンテナ４２から送信波として送信出力される。
【００２６】
一方、アンテナ４２で受信された試験データや音声データは送受信部４１により復調され、データ処理部４６で伸長処理され、試験データについては、制御部４７によりエラー発生率が演算され、その演算結果のエラーデータが送受信部４１を介して電話子機６に無線送信される。また音声データについては、変換部４４でアナログの音声信号に変換され、スピーカ４５ｂから音声が出力される。
電話子機６においては、ファクシミリ装置４と同様に、マイク６４から発生する音声信号や試験データ記憶部７０の試験データが、データ処理部６６で圧縮処理された後、送受信部６１により周波数変調され、設定された送信パワーレベルの送信パワーで以てアンテナ６２から送信波として送信出力される。
【００２７】
一方、アンテナ６２で受信された試験データや音声データは送受信部６１により復調され、データ処理部６６で伸長処理され、試験データについては、制御部６７によりエラー発生率が演算され、その演算結果のエラーデータが送受信部６１を介してファクシミリ装置４に無線送信される。また音声データについては、変換部６３でアナログの音声信号に変換され、スピーカ６５から音声が出力される。
【００２８】
次に、ファクシミリ装置４の制御部４７で実行されるファクシミリ装置の通信制御のルーチンについて、図６〜図７のフローチャートに基づいて、また電話子機６〜８の制御部６７で実行される電話子機の通信制御のルーチンについて、図８〜図９のフローチャートに基づいて説明する。但し、ファクシミリ装置４と電話子機６との間で通信が行われるものとする。また、ファクシミリ装置４のパワーレベル記憶部５０には、図４（ａ）に示すように、電話子機６〜８の各々について、第１〜第３候補の送信パワーレベルPA1 〜PA3 に対応づけて、デフォルトの送信パワーレベルとして、「Ｈ」と「Ｍ」と「Ｌ」とが夫々記憶されているものとする。図中の符号Ｓｉ（ｉ＝１０、１１、・・・）は各ステップである。
【００２９】
更に、電話子機６のパワーレベル記憶部６８には、図５（ａ）に示すように、第１〜第３候補のデフォルト送信パワーレベルPB1 〜PB3 として、「Ｈ」と「Ｍ」と「Ｌ」とが夫々記憶されているものとする。
図８の電話子機の通信制御において、電話子機６のＩＤコードを含む呼出し信号を送信してファクシミリ装置４を呼び出すときには（Ｓ50：Yes ）、ファクシミリ装置４が呼出される（Ｓ57）。次に、第１候補の送信パワーレベルPB1 「Ｈ」が読み出され（Ｓ53）、制御部６７により送受信部６１の増幅器に対して、送信パワーレベルとして送信パワーレベルPB1 となるように指令される（Ｓ54）。これにより、送受信部６１から最大パワーで送信出力される。次に、電話子機側送信パワーレベル設定処理制御（図９参照）が実行される（Ｓ55）。
【００３０】
この制御が開始されると、先ずファクシミリ装置４から送信される信号の受信待ちが行われる（Ｓ60：No）。
ところで、ファクシミリ装置４においては、電話子機６から呼出されたので（Ｓ10：No、Ｓ11：Yes ）、呼出し信号が解析処理され、呼出し信号に含まれるＩＤコードに基づいて呼出した電話子機６が認識され（Ｓ12）、図４（ａ）のパワーレベルテーブルから、電話子機６に専用の第１候補の送信パワーレベルPA1 が読み出され（Ｓ13）、制御部４７により送受信部４１の増幅器に対して、送信パワーレベルとして送信パワーレベルPA1 となるように指令される（Ｓ14）。
【００３１】
次に、試験データ記憶部５２から試験データを読み出して電話子機６に対して送信出力され（Ｓ15）、ファクシミリ装置４側、つまり親機側の送信パワーレベルを設定する設定処理（図７参照）が実行される（Ｓ16）。
この制御が開始されると、先ず電話子機６から送信される信号の受信待ちが行われる（Ｓ30：No）。
ところで、電話子機６においては、ファクシミリ装置４から試験データが送信されてきたときに（Ｓ60：Yes ）、ファクシミリ装置４側の送信パワーレベル設定が確定していないときには（Ｓ61：No）、受信した試験データについて、試験データ記憶部７０の試験データと比較することで、試験データ受信時のエラー発生率が演算される（Ｓ62）。
【００３２】
次に、電話子機６側の送信パワーレベル設定が確定していないときに（Ｓ63：No）、エラーデータを受信していないときには（Ｓ64：No）、試験データ記憶部７０から試験データを読み出してファクシミリ装置４に対して送信出力され（Ｓ68）、ファクシミリ装置４側の送信パワーレベル設定が確定していないときには（Ｓ69：No）、更にＳ62で演算したエラー発生率を示すエラーデータがファクシミリ装置４に対して送信出力される（Ｓ70）。
【００３３】
一方、ファクシミリ装置４においては、電話子機６から送信された試験データとエラーデータが受信されたときに（Ｓ30：Yes ）、電話子機６側の送信パワーレベル設定が確定していないときには（Ｓ31：No）、受信した試験データについて、試験データ記憶部５２の試験データと比較することで、試験データ受信時のエラー発生率が演算される（Ｓ32）。
【００３４】
次に、ファクシミリ装置４側の送信パワーレベル設定が確定していないときには（Ｓ33：No）、受信したエラーデータのエラー値ＥＮが、エラーを許容できる所定値Ｊよりも大きいとき、つまり受信信号に大きな歪みが発生している場合には（Ｓ34：No）、次の候補の送信パワーレベルPAが読み出され（Ｓ35）、送受信部４１に対して、送信パワーレベルとして、その候補の送信パワーレベルPAとなるように指令される（Ｓ36）。そして、再度送信パワーレベルを設定する為に、試験データが送信され（Ｓ37）、電話子機６側の送信パワーレベル設定が確定していないときには（Ｓ38：No）、更にＳ32で演算したエラー発生率を示すエラーデータが電話子機６に対して送信出力される（Ｓ39）。
【００３５】
次に、電話子機６においては、ファクシミリ装置４から送信された試験データとエラーデータが受信されたときに（Ｓ60：Yes ）、ファクシミリ装置４側の送信パワーレベル設定が確定していないときには（Ｓ61：No）、試験データ受信時のエラー発生率が演算され（Ｓ62）、また電話子機６側の送信パワーレベル設定が確定していないときで（Ｓ63：No）、しかもエラーデータを受信したときには（Ｓ64：Yes ）、受信したエラーデータのエラー値ＥＮが所定値Ｊよりも大きいとき、つまり受信信号に大きな歪みが発生している場合には（Ｓ65：No）、次の候補の送信パワーレベルPBが読み出され（Ｓ66）、送受信部６１に対して、送信パワーレベルとして、その候補の送信パワーレベルPBとなるように指令される（Ｓ67）。そして、再度送信パワーレベルを設定する為に、Ｓ68〜Ｓ70が実行される。
【００３６】
以下同様にして、ファクシミリ装置４側においても、電話子機６側においても、試験データを送信出力する一方、受信したエラーデータのエラー値ＥＮが大きい場合には、送信パワーレベルが良になるまで順々に次の候補の送信パワーレベル、つまり順々に古い送信パワーレベルに変更される。即ち、ファクシミリ装置４においては、送信パワーレベルが「Ｈ」→「Ｌ」→「Ｍ」に順々に変更され、、また電話子機６においては、送信パワーレベルが「Ｈ」→「Ｌ」→「Ｍ」に順々に変更され、変更した送信パワーレベルで試験データが送信出力される。
【００３７】
ところで、ファクシミリ装置４において、受信したエラーデータのエラー値ＥＮが所定値Ｊ以下であり、つまり受信信号の歪みが小さくなっており、受信音声を略明瞭に聞き取れる場合には（Ｓ34：Yes ）、送信パワーレベルの設定が確定した確定信号が電話子機６に送信出力される（Ｓ40）。そして、この場合には、試験データを送信することなく、エラーデータだけが電話子機６に送信出力される（Ｓ38：No、Ｓ39）。
【００３８】
このとき、電話子機６においては、エラーデータだけが受信され（Ｓ60：Yes ）、ファクシミリ装置４側が確定しているので（Ｓ61：Yes ）、Ｓ62をスキップしてＳ63〜Ｓ68が実行され、エラーデータは送信されることはない（Ｓ69：Yes ）。その結果、ファクシミリ装置４においては、受信した試験データのエラーデータだけが電話子機６に送信出力される（Ｓ30：Yes 、Ｓ31：No、Ｓ32、Ｓ33：Yes 、Ｓ41：No、Ｓ38：No、Ｓ39）
【００３９】
一方、電話子機６において、受信したエラーデータのエラー値ＥＮが所定値Ｊ以下であり、つまり受信信号の歪みが小さくなっており、受信音声を略明瞭に聞き取れる場合には（Ｓ65：Yes ）、送信パワーレベルの設定が確定した確定信号がファクシミリ装置４に送信出力される（Ｓ71）。そして、この場合には、試験データやエラーデータがファクシミリ装置４に送信されることはない（Ｓ69：Yes ）。
【００４０】
そして、ファクシミリ装置４においては、確定信号だけが受信され（Ｓ30：Yes ）、ファクシミリ装置４側も電話子機６も確定しているので（Ｓ31：Yes 、Ｓ33：Yes 、Ｓ41：Yes ）、パワーレベル記憶部５０のパワーレベルテーブルについて、新規の送信パワーレベルPAが第１候補の送信パワーレベルPA1 として変更する変更処理が実行され（Ｓ42）、通信開始信号が電話子機６に送信出力され（Ｓ43）、この制御を終了して、ファクシミリ装置の通信制御のＳ17にリターンする。そして、ファクシミリ装置の通信制御において、最終的に設定された最適な送信パワーレベルPAで以て電話子機６と通信処理が実行される（Ｓ17）。
【００４１】
即ち、図４（ｂ）に示すように、電話子機６はファクシミリ装置４に対して至近距離の位置に設置しているので、最新の第１候補の送信パワーレベルPA1 として、送信出力が小さい「Ｌ」が記憶される。
また、電話子機６においては、通信開始信号だけが受信され（Ｓ60：Yes ）、電話子機６側もファクシミリ装置４側も確定しているので（Ｓ61：Yes 、Ｓ63：Yes 、Ｓ72：Yes ）、パワーレベル記憶部６８のパワーレベルテーブルについて、新規の送信パワーレベルが第１候補の送信パワーレベルPB1 として変更する変更処理が実行され（Ｓ73）、この制御を終了して、電話子機の通信制御のＳ56にリターンする。
【００４２】
そして、電話子機の通信制御において、最終的に設定された最適な送信パワーレベルPBで以てファクシミリ装置４と通信処理が実行される（Ｓ56）。即ち、図５（ｂ）に示すように、パワーレベルテーブルにおいて、電話子機６に関する最新の第１候補の送信パワーレベルPB1 として、送信出力が小さい「Ｌ」が記憶される。
このようにして、図４（ｂ）のパワーレベルテーブルには、電話子機７については、ファクシミリ装置４に対して中距離に位置することから、第１候補の送信パワーレベルPA1 として「Ｍ」が記憶され、更に電話子機８については、ファクシミリ装置４に対して遠距離に位置することから、第１候補の送信パワーレベルPA1 として「Ｈ」が記憶される。
【００４３】
一方、図６のファクシミリ装置の通信制御において、電話子機６のＩＤコードを含む呼出し信号を送信して電話子機６を呼び出すときには（Ｓ10：Yes ）、通信先の電話子機６が呼出され（Ｓ18）、パワーレベルテーブルからその電話子機６の第１候補の送信パワーレベルPA1 が読み出される（Ｓ19）。そして、Ｓ14以降が実行される。
また、図８の電話子機の通信制御において、ファクシミリ装置４のＩＤコードを含む呼出し信号により、ファクシミリ装置４から呼び出されたときには（Ｓ50：No、Ｓ51：Yes ）、受信した呼出し信号が解析され（Ｓ52）、Ｓ53以降が実行される。
【００４４】
ここで、ファクシミリ装置４において、親機側送信パワーレベル設定処理制御がパワーレベル設定手段に相当し、Ｓ34が判定手段に相当し、Ｓ35〜Ｓ37などでパワーレベル選択制御手段が構成され、Ｓ32，Ｓ39などで試験応答手段が構成されている。また、電話子機６〜８において、電話子機側送信パワーレベル設定処理制御がパワーレベル設定手段に相当し、Ｓ65が判定手段に相当し、Ｓ66〜Ｓ68などでパワーレベル選択制御手段が構成され、Ｓ62，Ｓ70などで試験応答手段が構成されている。
【００４５】
ここで、ファクシミリ装置４と電話子機６との間で最初に通信するときには、以上説明したように、ファクシミリ装置４と電話子機６との何れにおいても、送信パワーレベル設定処理を繰り返すことで、最終的に最適な送信パワーレベルが設定されるが、ファクシミリ装置４や電話子機６は、一般的に概ね所定の設置場所に固定的に設置されるので、２回目以降における通信に際しては、パワーレベル記憶部５０，６８に記憶したパワーレベルテーブルの第１候補の送信パワーレベルPA1,PB1 を採用することから、ファクシミリ装置４側の電話子機６に対する最良の送信パワーレベルを早期に設定することができるとともに、電話子機６側のファクシミリ装置４に対する最良の送信パワーレベルも早期に設定することができ、ファクシミリ装置４と電話子機６との間での通信を、相手側を呼出してから迅速に且つ歪みのない最適な送信パワーで行うことができる。
【００４６】
このように、ファクシミリ装置４と電話子機６〜８とを備えた無線通信システム１において、ファクシミリ装置４には、回線制御部４３や送受信部４１やパワーレベル記憶部５０などを設け、ファクシミリ装置４から電話子機６〜８に送信するときに、パワーレベル記憶部５０に記憶したパワーレベルテーブルの第１候補の送信パワーレベルPA1 、つまり最新の送信パワーレベルPA1 を用いることで、ファクシミリ装置４側の電話子機６〜８に対する最良の送信パワーレベルを早期に設定でき、相手側を呼出してから迅速に且つ歪みのない最適な送信パワーで通話することができる。
【００４７】
また、電話子機６〜８においても同様に、送受信部６１やパワーレベル記憶部６８などを設け、電話子機６〜８からファクシミリ装置４に送信するときに、パワーレベル記憶部６８に記憶したパワーレベルテーブルの第１候補の送信パワーレベルPB1 、つまり最新の送信パワーレベルPB1 を用いることで、電話子機６〜８側のファクシミリ装置４に対する最良の送信パワーレベルを早期に設定でき、相手側を呼出してから迅速に且つ歪みのない最適な送信パワーで通話することができる。
【００４８】
また、ファクシミリ装置４や電話子機６〜８には、試験データ記憶部５２，７０を設け、試験データを送信する一方、受信したエラー発生率を示すエラーデータに基づいて、送信パワーレベルが良と判定されるまで、順々に古い送信パワーレベルに切換えられるので、電話子機６〜８が移動した場合でも、その移動位置における最良の送信パワーレベルを容易に設定することができる。
【００４９】
ここで、前記実施形態の変更形態について説明すると、送信パワーレベルとして、５段階或いは１０段階のように、多数のパワーレベルを設けるようにしてもよい。また、親機であるファクシミリ装置４と、複数の電話子機と、パーソナルコンピュータを接続した無線モデムなどからなる非音声用端末器とを備えた無線通信システムを構成し、ファクシミリ装置４とこれら非音声用端末器との間で非音声データにより通信する場合にも、送信パワーレベルを設定するようにしてもよい。更に、本発明は前記実施形態に限定して解釈されるべきではなく、本発明の技術的思想を逸脱しない範囲において、前記実施形態の各部の制御に、既存の制御や当業者に自明の制御に基いて種々の変更を加えることもあり得る。
【００５０】
【発明の効果】
請求項１の無線通信システムによれば、外部通信回線に接続されこの外部通信回線を介して音声データや非音声データを送受信する親機と、この親機との間で無線通信にて音声データや非音声データを送受信する少なくとも１つの子機とを備えた無線通信システムにおいて、親機は回線制御部と、パワーレベル記憶部と、パワーレベル設定手段とを設けたので、親機から子機に送信するときに、最新の過去複数回における送信パワーレベルを用いることで、親機側の子機に対する最良の送信パワーレベルを早期に設定でき、早い時期に通信を開始できる。
また、親機のパワーレベル設定手段は、試験データ記憶部と、判定手段と、パワーレベル選択制御手段とを設けたので、送信パワーレベルが良と判定されるまで、順々に古い送信パワーレベルにて試験データが送信出力され、最終的に、子機との通信に最良の送信パワーレベルが設定される。
【００５１】
請求項２の無線通信システムによれば、請求項１と同様の効果を奏するが、前記子機は親機と同様に、送受信部と、パワーレベル記憶部と、パワーレベル設定手段とを備えたので、子機から親機に送信するときに、最新の過去複数回における送信パワーレベルを用いることで、子機側の親機に対する最良の送信パワーレベルを早期に設定でき、早い時期に通信を開始できる。
また、子機のパワーレベル設定手段は、親機のパワーレベル設定手段と同様に、試験データ記憶部と、判定手段と、パワーレベル選択制御手段とを備えているので、請求項１と同様に、送信パワーレベルが良と判定されるまで、順々に古い送信パワーレベルにて試験データが送信出力され、最終的に、親機との通信に最良の送信パワーレベルが設定される。
【００５２】
【００５３】
請求項３の無線通信システムによれば、請求項２と同様の効果を奏するが、前記子機は、親機から試験データを受信した際にはエラー発生率を演算しそのエラー発生率を示すエラーデータを親機に対して送信出力するように送受信部に指令する試験応答手段を設けたので、親機においては、子機からのエラーデータを確実に且つ迅速に受信することができる。
請求項４の無線通信システムによれば、請求項１と同様の効果を奏するが、前記親機は、子機と同様に試験応答手段を設けたので、子機においては、親機からのエラーデータを確実に且つ迅速に受信することができる。
【図面の簡単な説明】
【図１】本発明の実施形態に係る無線通信システムの構成図である。
【図２】ファクシミリ装置の概略構成図である。
【図３】電話子機の概略構成図である。
【図４】ファクシミリ装置のパワーレベルテーブルのデータ構成を示す図表であり、（ａ）は各電話子機毎の通信開始時に設定された送信パワーレベルを示すデータであり、（ｂ）は最新の複数回の送信パワーレベルを示すデータである。
【図５】電話子機のパワーレベルテーブルのデータ構成を示す図表であり、（ａ）は通信開始時に設定された送信パワーレベルを示すデータであり、（ｂ）は最新の複数回の送信パワーレベルを示すデータである。
【図６】ファクシミリ装置の通信制御のルーチンのフローチャートである。
【図７】親機側送信パワーレベル設定処理制御のルーチンのフローチャートである。
【図８】電話子機の通信制御のルーチンのフローチャートである。
【図９】電話子機側送信パワーレベル設定処理制御のルーチンのフローチャートである。
【符号の説明】
１    無線通信システム
２    電話回線
３    デジタル伝送網
４    ファクシミリ装置
６〜８    電話子機
４１    送受信部
４３    回線制御部
４７    制御部
５０    パワーレベル記憶部
５２    試験データ記憶部
６１    送受信部
６８    パワーレベル記憶部
７０    試験データ記憶部
【図１】
0003903528.tif 000002
【図２】
0003903528.tif 000003
【図３】
0003903528.tif 000004
【図４】
0003903528.tif 000005
【図５】
0003903528.tif 000006
【図６】
0003903528.tif 000007
【図７】
0003903528.tif 000008
【図８】
0003903528.tif 000009
【図９】
0003903528.tif 000010